(57)【要約】【課題】作成者の技能の程度に関わらず、花による意匠性に優れた祭壇を、容易且つ低コストに作成することができる背面側輪郭花形成体、及び祭壇とその作成方法を提供すること。【解決手段】上辺の形状が、花祭壇１を構成する多数本の生花３０の外表面２の背面側の輪郭形状を呈する板状の基体４１を備え、基体４１の上辺に少なくとも１列の造花４２を取り付けて構成される背面側輪郭花形成体４０である。背面側輪郭花形成体４０の前面側に多数本の生花３０を設置することで花祭壇１を構成する。【選択図】図２
2020185093.tif 000002
【特許請求の範囲】
【請求項１】
上辺の形状が、祭壇を構成する多数本の生花または造花の外表面の背面側の輪郭形状を呈する板状の基体を備え、
前記基体の上辺に少なくとも１列の造花を取り付けて構成されていることを特徴とする背面側輪郭花形成体。
【請求項２】
台座と、
この台座上に載置される花保持ベースと、
この花保持ベースに茎の部分が差し込まれる多数本の生花または造花と、
当該多数本の生花または造花の背面側に設置される請求項１に記載の背面側輪郭花形成体と、
を具備することを特徴とする祭壇。
【請求項３】
前記請求項２に記載の祭壇の作成方法であって、
前記台座を配置する第１の工程と、
この台座上に前記花保持ベースを載置する第２の工程と、
前記背面側輪郭花形成体を前記台座上の背面側に設置する第３の工程と、
前記台座上に載置された花保持ベースに前記多数本の生花または造花の茎の部分を差し込む第４の工程とを有し、
前記第４の工程において、前記背面側輪郭花形成体の上辺に取り付けた造花の手前側に、当該造花が背面側の輪郭となるように、前記生花または造花の茎を前記花保持ベースに差し込んで配置していくことで祭壇を作成することを特徴とする祭壇の作成方法。
【発明の詳細な説明】
【技術分野】
【０００１】
本発明は、多数本の生花などを設置した祭壇を作成するのに用いて好適な背面側輪郭花形成体、及び祭壇とその作成方法に関するものである。
【背景技術】
【０００２】
近年の葬儀等においては、故人を偲び尊ぶ想いを形として表し、また、会場を装飾することを目的として、多数本の生花等によって飾り付けられた花祭壇が広く用いられている。このような花祭壇においては、生花を使用して飾り付けられるのが一般的である。また、会場の大きさや喪主の趣味等にこたえるべく、大きさやデザイン等の異なる種々の花祭壇が適宜作成される。昨今は、会社葬だけでなく、個人の葬儀等においても花祭壇が広く用いられるようになったことで、低廉でありながら流麗で荘厳な外観を呈する花祭壇等、これまで以上に多くの要望が作成者に求められている。
【０００３】
前記様々な要望に応じるべく、例えば、特許文献１には、作成コストを低く抑えるために造花を用いる一方、生花と比べても見劣りすることのない外観を作成することを可能にした花祭壇が開示されている。この花祭壇は、側面視において円弧状の形状を呈した支持面部（１）をもつフレーム（２）を備えることを特徴とし、支持面部（１）の表面に造花を配設することで、生花に見劣りしないだけのボリューム感のある花祭壇を作成することを可能にしている。
【０００４】
また、特許文献２には、豪華・荘厳でありながら自然な風合いをもち、かつ日持ちのよい葬祭用祭壇が開示されている。この葬祭用祭壇は、後方から前方に向かって徐々に急になる下向きのスロープ状の表面を有する供花台を備え、さらにこの供花台に、プリザーブドフラワーの花冠に剛性が高い模造の茎と葉とを取り付けた供花を多数配設することを特徴としている。このような特徴を有することで、花弁の間から茎や葉が視認できることで生花を用いた場合と同等の自然な風合いを有しつつ、生花に比べて日持ちのよい葬祭用祭壇の作成を可能にしている。
【０００５】
また、特許文献３には、廉価かつ簡易な構成でありながら、生花と同等の自然な外観および質感を有し、祭壇表面を所望の起伏形状になるように装飾して豪華で荘厳な印象を与える葬祭用祭壇が開示されている。この葬祭用祭壇は、プリザーブドフラワーの花冠とこの花冠に固着された模造の萼とこの萼に着脱自在に取り付けられた模造の茎とからなる加工花を用い、この加工花の茎の長さを変えて前記土台に複数設置することで、花祭壇の表面を所望の起伏形状に装飾できるように構成したことを特徴としている。
【先行技術文献】
【特許文献】
【０００６】
【特許文献１】特開２００１−１３７１０５号公報
【特許文献２】特開２０１２−０７１０１５号公報
【特許文献３】特開２０１５−０７７２００号公報
【発明の概要】
【発明が解決しようとする課題】
【０００７】
葬儀等に用いられる花祭壇は、複数本の生花または造花を用いて整然と飾り付けることで、流麗かつ荘厳な印象を見る者に与える外表面（多数の花の部分によって形成される表面）が形作られる。このような意匠性に優れた外表面は、複数の稜線から構成された複雑な形状を呈しているのが通常である。しかし、この外表面形状の作成は、作成者の経験と勘とに基づいて行われているのが現状であり、このため、外表面形状の作成においては、作成者の技能の差が顕著に現れ、品質的に大きなばらつきが生じやすい。また、品質のばらつきを抑えようとすれば、全ての作成者が高い技能を習得するか、または、作成時に試作を繰り返すなどの手間を要することになるため、人件費の高騰や作成期間の長期化によって制作費用が高騰することになる。
【０００８】
前記特許文献１に記載のフレーム（２）や前記特許文献２に記載の供花台（１１，１２，１３）では、所定の形状に生花又は造花をデザインすることはできるが、そのデザインは画一化され、またその外表面形状もあまり複雑化できず、このため作成者の意図する各種デザインの花祭壇を、葬儀に応じて自由にデザインして作成することは困難であった。即ち、フレーム（２）や供花台（１１，１２，１３）に生花や造花を挿す構成とすれば、花祭壇を所望の外形形状に作成し易いが、その一方で、デザインの多様化が阻害されて意匠性に優れた各種外表面を有する花祭壇を作成することが困難であった。また、フレーム（２）や供花台（１１，１２，１３）は構造が複雑であり、また大きさがかさばって収納場所に大きなスペースを必要とするので、コストが高くなるという問題もあった。
一方、特許文献３に記載の花祭壇は、加工花（１０）の茎の部分を１本ずつ土台（２５，２６）に差し込んでいくことで作成されるが、その作成は熟練者でなければ困難であった。例えば祭壇を正面から見てその中央を中心に左右に延びる稜線を同一形状（シンメトリー）にすることは、作成者に高い技能と経験を要し、簡単な作業ではなかった。即ち、１本ずつ花を挿していく方法を用いれば、意匠性に優れた各種外表面を有する花祭壇を作成することはできるが、その一方で、全体としてバランスの取れた外表面形状を有する花祭壇の作成が、一部の熟練者に限定されてしまうという問題があった。
【０００９】
本発明は、前記問題に鑑み創作されたものであり、その目的は、作成者の技能の程度に関わらず、花による意匠性に優れた祭壇を、容易且つ低コストに作成することができる背面側輪郭花形成体、及び祭壇とその作成方法を提供することにある。
【課題を解決するための手段】
【００１０】
本発明にかかる背面側輪郭花形成体は、上辺の形状が、祭壇を構成する多数本の生花または造花の外表面の背面側の輪郭形状を呈する板状の基体を備え、前記基体の上辺に少なくとも１列の造花を取り付けて構成されていることを特徴としている。
当該構成の背面側輪郭花形成体は、複数本の生花等を用いて祭壇を作成する際に、生花等の配置位置（特に高さ）を画定するための「型」として機能する。この背面側輪郭花形成体を祭壇作成ツールとして用いることで、経験の浅い者であっても、所望の稜線形状を呈する花による意匠性に優れた祭壇を、一定の品質を維持しながら比較的短期間で作成することが可能になる。
また背面側輪郭花形成体は、板状であってその上辺に造花を取り付けているだけの構造なので、各種形状のものを多数枚容易に製造でき、収納にも場所を取らない。
また、基体の上辺に少なくとも１列の造花を配置しているので、この造花が花による祭壇の稜線を形成することになり、背面側輪郭花形成体自体を祭壇の構成要素として活用することができる（換言すれば、祭壇完成後に、背面側輪郭花形成体を取外す手間を削減することができる）。
また、複数枚の背面側輪郭花形成体を用い、これらを様々に組み合わせるように構成すれば、種々のデザインの祭壇を、容易に形成することができる。
【００１１】
また本発明にかかる祭壇は、台座と、この台座上に載置される花保持ベースと、この花保持ベースに茎の部分が差し込まれる多数本の生花または造花と、当該多数本の生花または造花の背面側に設置される前記背面側輪郭花形成体と、を具備することを特徴としている。
このような背面側輪郭花形成体を備える祭壇にあっては、作成者の経験や技能の差によらず、所定の品質が保たれた多様なデザインの花を用いた祭壇を容易に作成することができる。
【００１２】
また本発明にかかる祭壇の作成方法は、前記台座を配置する第１の工程と、この台座上に前記花保持ベースを載置する第２の工程と、前記背面側輪郭花形成体を前記台座上の背面側に設置する第３の工程と、前記台座上に載置された花保持ベースに前記多数本の生花または造花の茎の部分を差し込む第４の工程とを有し、前記第４の工程において、前記背面側輪郭花形成体の上辺に取り付けた造花の手前側に、当該造花が背面側の輪郭となるように、前記生花または造花の茎を前記花保持ベースに差し込んで配置していくことで祭壇を作成することを特徴としている。
前記作成方法を実践することで、経験の浅い者であっても、所定の品質が保たれた多様なデザインの花を用いた祭壇を、短期間で作成することができるようになる。
【発明の効果】
【００１３】
本発明によれば、作成者の技能に関わらず、花による意匠性に優れた祭壇を、所定の品質を保ちながら短期間で制作することができるようになる。これにより、高い品質の祭壇を低コストで提供することが可能になる。
【図面の簡単な説明】
【００１４】
【図１】花祭壇１の正面図である。
【図２】花祭壇１の右側面図である。
【図３】花祭壇１を構成する台座１０の正面図である。
【図４】花祭壇１を構成する台座１０の右側面図である。
【図５】花祭壇１を構成する背面側輪郭花形成体４０の正面図である。
【図６】花祭壇１を構成する花保持ベース２０の斜視図である。
【図７】台座１０の上に花保持ベース２０が載置された様子を示す正面図である。
【図８】台座１０の上に花保持ベース２０が載置された様子を示す右側面図である。
【図９】台座１０の上に花保持ベース２０と背面側輪郭花形成体４０−３が載置された様子を示す正面図である。
【図１０】台座１０の上に花保持ベース２０と背面側輪郭花形成体４０−３が載置された様子を示す右側面図である。
【図１１】台座１０の上に花保持ベース２０と背面側輪郭花形成体４０−３と生花３０が載置された様子を示す正面図である。
【図１２】台座１０の上に花保持ベース２０と背面側輪郭花形成体４０−３と生花３０が載置された様子を示す右側面図である。
【図１３】台座１０の上に花保持ベース２０と背面側輪郭花形成体４０−１，２，３と生花３０が載置された様子を示す正面図である。
【図１４】台座１０の上に花保持ベース２０と背面側輪郭花形成体４０−１，２，３と生花３０が載置された様子を示す右側面図である。
【発明を実施するための形態】
【００１５】
図１ないし図１４を参照しながら、本発明を用いた祭壇とその作成方法、ならびに祭壇作成ツールである背面側輪郭花形成体の実施の形態について説明する。なお、説明文中の上下方向、左右方向および前後方向は、図１に示された花祭壇の上下方向、左右方向および紙面手前奥方向としてそれぞれ定義する。
【００１６】
［花祭壇の構成］
はじめに、図１ないし図６を参照しながら、本発明の実施の形態に係る花祭壇１の構成について説明する。花祭壇１は、図１および図２に示すように、台座１０と、この台座１０の上に載置される花保持ベース２０と、この花保持ベース２０に保持される生花３０と、生花３０が配置される位置を画定する際の基準となる背面側輪郭花形成体４０とを具備して構成されている。
【００１７】
台座１０は、例えば、図３および図４に示すように、前列に配置される背の低い２つの前台座１０−１および１０−２と、後列に配置される背の高い後台座１０−３とから構成されている。
【００１８】
前台座１０−１および１０−２は、略同一の形状を呈し、かつ前方横一列に配置される。また、後台座１０−３は、前台座１０−１または１０−２の略１．５倍の高さと略１．５倍の横幅を有し、前台座１０−１および１０−２の後方略中央に配置される。前台座１０−１および１０−２と後台座１０−３は、長方形を呈した平面板によって上面が形成されており、これら上面の４隅には、それぞれ４本の脚が取り付けられている。
【００１９】
花保持ベース２０は、図６に示すように、器部２１と、この器部２１の内側に収容される複数（本実施の形態では４個）のブロック部２２とから構成されている。
【００２０】
器部２１は、長方形を呈した底面とこの底面の周縁に立設された４つの側壁とからなり、これら底面と４側壁とによって、ブロック部２２が収容される収納凹部が形成されている。器部２１は、例えばポリプロピレンなどの樹脂材料から形成されている。
【００２１】
ブロック部２２は、例えば、生花に水分を供給できるだけの吸水性と生花を保持するだけの強度・剛性とを併せ持つ発泡性の樹脂材料から形成されている。ブロック部２２は、所定の面圧で押圧すると穴が開く程度の硬度を有する。このため、その上面を生花３０の茎部３０ａの先で押圧すると容易に穴が開口し、この穴の側壁面によって茎部３０ａが保持される。これにより、生花３０は、所定の姿勢を維持した状態で台座１０上に配置される。なお図６では、器部２１からブロック部２２の上部が露出するように記載しているが、他の図（図２，７−１４）では、ブロック部２２が器部２１から露出しないように記載している。
【００２２】
花祭壇１の外表面２を形成する複数本の生花３０は、図２に示すように、各々が所定の長さの茎部３０ａと花部３０ｂとを備えており、前述したように、茎部３０ａが花保持ベース２０を構成するブロック部２２の上面に差し込まれることで、生花３０が台座１０上に配置される。なお、本実施の形態では、花祭壇１の外表面２を形成する花が、全て生花３０から構成されるとしているが、一部または全部を造花から構成されるようにしてもよい。
【００２３】
背面側輪郭花形成体４０（４０−１，２，３）は、図５に示すように、花祭壇１を作成する際に用いられるツールとして機能する部材、より詳細には、複数本の生花３０を用いて花祭壇１を作成する際に、生花３０の配置位置（特に高さ）を画定するための「型」として機能する部材であり、基体４１（４１−１，２，３）と、この基体の上辺４１ａ（４１−１ａ，２ａ，３ａ）に沿って１列に取付けられた造花（花の部分のみ）４２とを具備して構成されている。
【００２４】
基体４１（４１−１，２，３）は、例えば、木製の平板状の板材から構成され、その上辺４１ａ（４１−１ａ，２ａ，３ａ）の形状は、複数本の生花３０によって形作られる花祭壇１の外表面２の背面側の輪郭形状に形成されている。即ち、背面側の輪郭形状とは、花保持ベース２０を介して台座１０の上に配設される複数本の生花３０のうち台座１０の背面側端部に位置する生花３０によって形作られるべき輪郭形状（作成予定の輪郭形状、峰形状）を意味する。なお、基体４１の材料については、木製以外の各種材料、例えば合成樹脂や金属等によって形成しても良い。
【００２５】
なお、本実施の形態に係る花祭壇１においては、図５に示すように、３枚の異なる形状を呈する背面側輪郭花形成体４０−１、４０−２および４０−３が用いられている。背面側輪郭花形成体４０−１は前台座１０−１の上面に、背面側輪郭花形成体４０−２は前台座１０−２の上面に、背面側輪郭花形成体４０−３は、後台座１０−３の上面にそれぞれ載置される。
【００２６】
背面側輪郭花形成体４０−１，２の基体４１−１，２は、その形状が正面視において線対称であり、基体４１−１の上辺４１−１ａおよび基体４１−２の上辺４１−２ａは、一対となって所定の形状をなすように構成されている。具体的には、上辺４１−１ａおよび４１−２ａが連接することで、なだらかな尾根を介して連なる２つの山を想起させる形状が形作られるように構成されている。
これに対し、基体４１−３の上辺４１−３ａは、上辺４１−１ａおよび上辺４１−２ａによって形作られる前記形状の相似形に近い形状、具体的には、急峻な尾根を介して連なる２つの山を想起させる形状を呈している。
【００２７】
基体４１−１〜３の上辺４１−１ａ〜３ａには、図５に示すように、１列に複数の花の部分のみの造花４２が取付けられている。即ち、造花４２は、茎部を有せず、花弁等からなる花部が直接上辺４１−１ａ〜３ａに接着剤等を用いて取付けられている。なお、当該接着剤による取付け方法に替えて、上辺４１−１ａ〜３ａに造花４２の茎部を差し込むようにしてこれを取付けるなどしてもよい。要は、上辺４１−１ａ〜３ａに、花部のみが設置されるように構成すればよい。造花４２の取付方法については、既存の他の方法を用いてもよい。
【００２８】
［花祭壇の作成方法］
次に、図７ないし図１４を参照しながら、花祭壇１の作成方法について説明する。
花祭壇１を作成するにあたり、先ずは所定の位置に台座１０を配置する（本願特許請求の範囲に記載の「第１の工程」に相当）。この台座１０の配置は、花祭壇１の基本形態に基づいて決定される。ここで、本実施の形態に係る花祭壇１の基本形態は、図１に示すように、左右線対称であって、低くて長い稜線をもつ生花群によって形成される前側外表面２ａと、高くて短い稜線をもつ生花群によって形成される後側外表面２ｂとから構成されている。このため、本実施の形態では、図７および図８に示すように、前方に背の低い前台座１０−１および１０−２を横一列に配置し、この後方略中央に背の高い後台座１０−３を配置する。
【００２９】
次に、これら台座１０（前台座１０−１、１０−２および後台座１０−３）の上面に、花保持ベース２０を載置する（本願特許請求の範囲に記載の「第２の工程」に相当）。本実施の形態では、図７および図８に示すように、前台座１０−１，２の上面に、５つの花保持ベース２０を横一列に載置し、後台座１０−３の上面に、３つの花保持ベース２０を横一列に載置する。
【００３０】
次に、背面側輪郭花形成体４０−３を、図９および図１０に示すように、後台座１０−３上の花保持ベース２０の後方、すなわち、後台座１０−３の上面における背面側に載置する（本願特許請求の範囲に記載の「第３の工程」に相当）。
【００３１】
ここで、本発明において、背面側輪郭花形成体４０−３（４０−１，２）を設置する理由を説明する。花祭壇１の生花３０の花部３０ｂによって形成される外表面２を円滑に作成していくためには、最初に、最も後側に配置される生花３０の花部３０ｂの左右に延びる輪郭形状を画定することが有用である。即ち、生花３０を配置していく場合、最も後側の花部３０ｂの左右に延びる輪郭形状（外周縁）をイメージし、イメージした最も後側の輪郭形状になるように生花３０を一列又は数列挿して配置し、配置した生花３０から前方に向かって順次別の生花３０を挿していく作業方法が効率的である。しかし上述のように、最も後側の輪郭形状を形成するように生花３０を一列又は数列左右に向かって挿していく作業は、熟練者でなければ困難であった。何故なら、例えば花祭壇１を正面から見て左右対称な湾曲形状に形成しようとしても、その長さや高さが微妙に異なってしまい、左右対象の湾曲形状に形成するのは未熟練者には何度もやり直しが強いられる作業だからである。そこで、本実施形態においては、後台座１０−３の上面の背面側（花保持ベース２０の後側）に、生花３０の最も後側の輪郭形状を形成する背面側輪郭花形成体４０−３を設置したのである。この点は、下記する背面側輪郭花形成体４０−１，２においても同様である。
【００３２】
次に、作成者は、背面側輪郭花形成体４０−３の上辺４１−３ａおよびこれに沿って取付けられた造花４２によって形作られる輪郭形状を基準にして、その手前側に生花３０を挿していく。より具体的には、造花４２の位置（高さ）よりもやや低い位置に生花３０の花部３０ｂが配置されるように生花３０の高さを調整しながら、茎部３０ａを花保持ベース２０のブロック部２２に差し込んでいく。この作業を、背面側輪郭花形成体４０−３に沿って左右方向へ移動しながら順次行ってゆき、これによって、複数本の生花３０による１列目（複数列でもよい）の生花群３０−１（図１２参照）を形成する。
【００３３】
次に、作成者は、生花群３０−１によって形作られる輪郭形状を基準にして、その前方へ生花３０を配置していく。具体的には、生花群３０−１の生花３０の位置(高さ)よりもやや低い位置に花部３０ｂが配置されるように生花３０の高さを調整しながら、茎部３０ａを花保持ベース２０のブロック部２２に差し込んでいく。この作業を、左右横方向へ移動しながら順次行ってゆき、これによって、複数本の生花３０による２列目（複数列でもよい）の生花群３０−２（図１２参照）を形成する。
【００３４】
前記作業を繰り返すことで、生花群３０−２の前方に生花群３０−３が、生花群３０−３の前方に生花群３０−４が、生花群３０−４の前方に生花群３０−５が、生花群３０−５の前方に生花群３０−６が、生花群３０−６の前方に生花群３０−７が、生花群３０−７の前方に生花群３０−８が形成されていく（図１２参照）。これにより、図１１および図１２に示すように、後台座１０−３の上に、正面視において２つの山を連ねた輪郭形状を有し、側面視においては前方へ向かうにつれて次第に下方へ傾斜する略円弧状の外観を呈した後側外表面２ｂが形成される。
【００３５】
後側外表面２ｂの作成作業が完了した後は、前台座１０−１および１０−２上に生花３０を配置することで前側外表面２ａを作成する作業へと進む。この作業手順は、後台座１０−３上に生花３０を配置する前記作業手順と同一である。
【００３６】
すなわち、前台座１０−１および１０−２の上面の背面側端部に、背面側輪郭花形成体４０−１および４０−２を載置する（図１３および図１４参照）。次に、この背面側輪郭花形成体４０−１および４０−２の上辺４１−１ａおよび４１−２ａに取付けられた造花４２によって形作られる輪郭形状を基準にして、背面側輪郭花形成体４０−１および４０−２の前方へ生花３０を配置していく。これにより、図１，図２に示すように、花祭壇１の前側外表面２ａが形成される。以上の作業手順により、花祭壇１の外表面２の作成が完了する。なお、本実施の形態では、背面側輪郭花形成体４０−１〜３の上辺４１−１ａ〜３ａには造花４２を取り付け、それ以外の花には生花３０を用いているが、造花４２はその輪郭部分だけなので、これを正面側から見る人は、造花４２を生花３０と混同して全てが生花３０である印象を持つ。
【００３７】
なお、上記作業例では、後台座１０−３上に背面側輪郭花形成体４０−３や生花３０を設置する作業を完了した後に、前台座１０−１、１０−２上に背面側輪郭花形成体４０−１，２や生花３０を設置する作業を行う例を示したが、前記両作業は、同時に進行させても良いし、逆にしても良いなど、種々の変更が可能である。
【００３８】
［本実施の形態の効果］
従来、花祭壇１を作成する際は、まず花祭壇１の最も背面側に設置する生花３０を左右方向１列に設置することで花祭壇１の輪郭形状を作成した後、前記生花３０の手前側に他の生花３０を多数本挿して行くことで行っているが、前記花祭壇１の輪郭形成のための生花３０の設置は、作成者の経験と勘とに頼った現物合わせによって行われていたので、その設置は困難であった。これに対し、本実施の形態においては、前述したように、背面側輪郭花形成体４０により、具体的には背面側輪郭花形成体４０の上辺４１ａおよびこれに沿って一列に取付けられた造花４２が形作る輪郭形状によって、最も背面側に設置する造花３２の位置が容易に画定される。このように、本実施の形態によれば、花祭壇１の輪郭の基準となる背面側の左右方向に向かう輪郭形状の画定作業を、作成者の経験と勘とに頼ることなく行うことができる。この結果、確定された輪郭形状を基準に形成していく花祭壇１の生花３０による外表面２の形状にばらつきが無くなり、品質が安定する。また、経験の浅い者であっても、比較的容易に複雑な形状の花祭壇１を作成することが出来るようになる。これにより、人材の活用が広がり、人件費の削減を可能にする。さらに、複雑な形状の花祭壇１を作成する際、現物合わせによる試行錯誤の繰り返しを要しないため、作成期間を短縮することができる。このため、本実施の形態によれば、納期期限を短縮し作成費用を抑制することができる。また背面側輪郭花形成体４０は板状なので、構造が簡単で薄く、多種類の形状のものを多数枚容易に製造でき、また収納場所もとらない。
【００３９】
［本実施の形態の変形例］
前記実施の形態の変形例として、複数枚の形状の異なる（左右対称でもない）背面側輪郭花形成体４０を様々に組み合わせることで、さまざまな形状の上辺４１ａをもつ背面側輪郭花形成体４０（基体４１）を構成してもよい。
【００４０】
また上記実施形態では、花祭壇１を主として生花３０で構成したが、そのかわりに造花やプリザーブドフラワーなどを用いても良い。
【００４１】
また本発明にかかる背面側輪郭花形成体とこれを用いた祭壇は、花祭壇だけに適用されるものではなく、他の祭壇、例えば白木祭壇であっても適用できる。即ち例えば、白木祭壇の一部のスペースに多数本の花をデザインして配置するような場合に、その花の部分（即ち白木祭壇の一部の部分）に本発明を適用することができる。
【００４２】
以上、本発明に係る実施の形態を説明したが、本発明はこの実施の形態に限定されるものではなく、その要旨を逸脱しない範囲において種々の変更が可能である。また、明細書および図面に直接記載のない構成であっても、本発明の作用・効果を奏する以上、本発明の技術的思想の範囲内である。さらに、上記記載および各図で示した実施の形態は、その目的および構成等に矛盾がない限り、互いの記載内容を組み合わせることも可能である。
【符号の説明】
【００４３】
１…花祭壇、２…外表面、２ａ…前側外表面、２ｂ…後側外表面、１０…台座、２０…花保持ベース、２１…器部、２２…ブロック部、３０…生花、３０ａ…茎部、３０ｂ…花部、３０−１〜３０−８…生花群、４０…背面側輪郭花形成体、４０−１〜４０−３…背面側輪郭花形成体、４１（４１−１〜４１−３）…基体、４１ａ（４１ａ−１〜４１ａ−３）…上辺、４２…造花
【図１】
2020185093.tif 000003
【図２】
2020185093.tif 000004
【図３】
2020185093.tif 000005
【図４】
2020185093.tif 000006
【図５】
2020185093.tif 000007
【図６】
2020185093.tif 000008
【図７】
2020185093.tif 000009
【図８】
2020185093.tif 000010
【図９】
2020185093.tif 000011
【図１０】
2020185093.tif 000012
【図１１】
2020185093.tif 000013
【図１２】
2020185093.tif 000014
【図１３】
2020185093.tif 000015
【図１４】
2020185093.tif 000016
【手続補正書】
【提出日】令和1年10月16日(2019.10.16)
【手続補正１】
【補正対象書類名】明細書
【補正対象項目名】００１０
【補正方法】変更
【補正の内容】
【００１０】
本発明にかかる背面側輪郭花形成体は、上辺の形状が、祭壇を構成する多数本の生花または造花の外表面の背面側の峰線形状を画定する形状を呈した平板状の基体を備え、前記基体の上辺に、少なくとも１列に、花弁等からなる花部のみの造花を取り付けて構成されていることを特徴としている。
当該構成の背面側輪郭花形成体は、複数本の生花等を用いて祭壇を作成する際に、生花等の配置位置（特に高さ）を画定するための「型」として機能する。この背面側輪郭花形成体を祭壇作成ツールとして用いることで、経験の浅い者であっても、所望の稜線形状を呈する花による意匠性に優れた祭壇を、一定の品質を維持しながら比較的短期間で作成することが可能になる。
また背面側輪郭花形成体は、板状であってその上辺に造花を取り付けているだけの構造なので、各種形状のものを多数枚容易に製造でき、収納にも場所を取らない。
また、基体の上辺に少なくとも１列の造花を配置しているので、この造花が花による祭壇の稜線を形成することになり、背面側輪郭花形成体自体を祭壇の構成要素として活用することができる（換言すれば、祭壇完成後に、背面側輪郭花形成体を取外す手間を削減することができる）。
また、複数枚の背面側輪郭花形成体を用い、これらを様々に組み合わせるように構成すれば、種々のデザインの祭壇を、容易に形成することができる。
【手続補正２】
【補正対象書類名】明細書
【補正対象項目名】００１１
【補正方法】変更
【補正の内容】
【００１１】
また本発明にかかる祭壇は、台座と、この台座上に載置される花保持ベースと、この花保持ベースに茎の部分が差し込まれる多数本の生花または造花と、当該多数本の生花または造花の背面側に設置される前記背面側輪郭花形成体と、を具備し、前記花保持ベースに茎の部分が差し込まれる多数本の生花または造花は、それらの花部が、前記背面側輪郭花形成体の上辺の花部のみの造花の高さよりも手前側に向けて順次低い位置になるように配置されることを特徴としている。
このような背面側輪郭花形成体を備える祭壇にあっては、作成者の経験や技能の差によらず、所定の品質が保たれた多様なデザインの花を用いた祭壇を容易に作成することができる。
【手続補正３】
【補正対象書類名】明細書
【補正対象項目名】００１２
【補正方法】変更
【補正の内容】
【００１２】
また本発明にかかる祭壇の作成方法は、前記台座を配置する第１の工程と、この台座上に前記花保持ベースを載置する第２の工程と、前記背面側輪郭花形成体を前記台座上の前記花保持ベースの後方に設置する第３の工程と、前記台座上に載置された花保持ベースに前記多数本の生花または造花の茎の部分を差し込む第４の工程とを有し、前記第４の工程において、前記背面側輪郭花形成体の上辺の花部のみの造花の手前側に、前記生花または造花の茎を、それらの花部が、前記背面側輪郭花形成体の上辺の花部のみの造花の高さよりも手前側に向けて順次低い位置になって、前記背面側輪郭花形成体の上辺の花部のみの造花が背面側の峰部を形成するように、前記花保持ベースに差し込んで配置していくことで祭壇を作成することを特徴としている。
前記作成方法を実践することで、経験の浅い者であっても、所定の品質が保たれた多様なデザインの花を用いた祭壇を、短期間で作成することができるようになる。
【手続補正４】
【補正対象書類名】特許請求の範囲
【補正対象項目名】全文
【補正方法】変更
【補正の内容】
【特許請求の範囲】
【請求項１】
上辺の形状が、祭壇を構成する多数本の生花または造花の外表面の背面側の峰線形状を画定する形状を呈した平板状の基体を備え、
前記基体の上辺に、少なくとも１列に、花弁等からなる花部のみの造花を取り付けて構成されていることを特徴とする背面側輪郭花形成体。
【請求項２】
台座と、
この台座上に載置される花保持ベースと、
この花保持ベースに茎の部分が差し込まれる多数本の生花または造花と、
当該多数本の生花または造花の背面側に設置される請求項１に記載の背面側輪郭花形成体と、
を具備し、
前記花保持ベースに茎の部分が差し込まれる多数本の生花または造花は、それらの花部が、前記背面側輪郭花形成体の上辺の花部のみの造花の高さよりも手前側に向けて順次低い位置になるように配置されることを特徴とする祭壇。
【請求項３】
前記請求項２に記載の祭壇の作成方法であって、
前記台座を配置する第１の工程と、
この台座上に前記花保持ベースを載置する第２の工程と、
前記背面側輪郭花形成体を前記台座上の前記花保持ベースの後方に設置する第３の工程と、
前記台座上に載置された花保持ベースに前記多数本の生花または造花の茎の部分を差し込む第４の工程とを有し、
前記第４の工程において、前記背面側輪郭花形成体の上辺の花部のみの造花の手前側に、前記生花または造花の茎を、それらの花部が、前記背面側輪郭花形成体の上辺の花部のみの造花の高さよりも手前側に向けて順次低い位置になって、前記背面側輪郭花形成体の上辺の花部のみの造花が背面側の峰部を形成するように、前記花保持ベースに差し込んで配置していくことで祭壇を作成することを特徴とする祭壇の作成方法。
【手続補正書】
【提出日】令和2年1月17日(2020.1.17)
【手続補正２】
【補正対象書類名】明細書
【補正対象項目名】０００１
【補正方法】変更
【補正の内容】
【０００１】
本発明は、多数本の生花などを設置した祭壇を作成するのに用いて好適な祭壇とその作成方法に関するものである。
【手続補正３】
【補正対象書類名】明細書
【補正対象項目名】０００９
【補正方法】変更
【補正の内容】
【０００９】
本発明は、前記問題に鑑み創作されたものであり、その目的は、作成者の技能の程度に関わらず、花による意匠性に優れた祭壇を、容易且つ低コストに作成することができる祭壇とその作成方法を提供することにある。
【手続補正４】
【補正対象書類名】明細書
【補正対象項目名】００１０
【補正方法】変更
【補正の内容】
【００１０】
本発明は、台座と、この台座上に載置される花保持ベースと、この花保持ベースに茎の部分が差し込まれる多数本の生花または造花と、を有する祭壇において、上辺の形状が、前記多数本の生花または造花の外表面の背面側の峰線形状を画定する形状を呈した板状の基体を備え、前記基体の上辺に、少なくとも１列に、花弁等からなる花部のみの造花を取り付けて構成される背面側輪郭花形成体を複数枚さらに有し、これら複数枚の背面側輪郭花形成体を組み合わせて所望のデザインを構成して、前記多数本の生花または造花の背面側に設置し、前記花保持ベースに茎の部分が差し込まれる多数本の生花または造花は、それらの花部が、前記複数枚組み合わされてデザインされた背面側輪郭花形成体の上辺の花部のみの造花の高さよりも手前側に向けて順次低い位置になるように配置されていることを特徴としている。
本発明に用いる背面側輪郭花形成体は、複数本の生花等を用いて祭壇を作成する際に、生花等の配置位置（特に高さ）を画定するための「型」として機能する。この背面側輪郭花形成体を祭壇作成ツールとして用いることで、経験の浅い者であっても、所望の稜線形状を呈する花による意匠性に優れた祭壇を、一定の品質を維持しながら比較的短期間で作成することが可能になる。
また背面側輪郭花形成体は、板状であってその上辺に造花を取り付けているだけの構造なので、各種形状のものを多数枚容易に製造でき、収納にも場所を取らない。
また、基体の上辺に少なくとも１列の造花を配置しているので、この造花が花による祭壇の稜線を形成することになり、背面側輪郭花形成体自体を祭壇の構成要素として活用することができる（換言すれば、祭壇完成後に、背面側輪郭花形成体を取外す手間を削減することができる）。
また、複数枚の背面側輪郭花形成体を用い、これらを様々に組み合わせるように構成すれば、種々のデザインの祭壇を、容易に形成することができる。
【手続補正５】
【補正対象書類名】明細書
【補正対象項目名】００１１
【補正方法】変更
【補正の内容】
【００１１】
このような背面側輪郭花形成体を備える祭壇にあっては、作成者の経験や技能の差によらず、所定の品質が保たれた多様なデザインの花を用いた祭壇を容易に作成することができる。
【手続補正６】
【補正対象書類名】明細書
【補正対象項目名】００１２
【補正方法】変更
【補正の内容】
【００１２】
また本発明にかかる祭壇の作成方法は、前記台座を配置する第１の工程と、この台座上に前記花保持ベースを載置する第２の工程と、前記複数枚の背面側輪郭花形成体を組み合わせて所望のデザインを構成して、前記台座上の前記花保持ベースの後方に設置する第３の工程と、前記台座上に載置された花保持ベースに前記多数本の生花または造花の茎の部分を差し込む第４の工程とを有し、前記第４の工程において、前記背面側輪郭花形成体の上辺の花部のみの造花の手前側に、前記生花または造花の茎を、それらの花部が、前記複数枚組み合わされてデザインされた背面側輪郭花形成体の上辺の花部のみの造花の高さよりも手前側に向けて順次低い位置になって、前記背面側輪郭花形成体の上辺の花部のみの造花が背面側の峰部を形成するように、前記花保持ベースに差し込んで配置していくことで祭壇を作成することを特徴としている。
前記作成方法を実践することで、経験の浅い者であっても、所定の品質が保たれた多様なデザインの花を用いた祭壇を、短期間で作成することができるようになる。
【手続補正７】
【補正対象書類名】特許請求の範囲
【補正対象項目名】全文
【補正方法】変更
【補正の内容】
【特許請求の範囲】
【請求項１】
台座と、
この台座上に載置される花保持ベースと、
この花保持ベースに茎の部分が差し込まれる多数本の生花または造花と、
を有する祭壇において、
上辺の形状が、前記多数本の生花または造花の外表面の背面側の峰線形状を画定する形状を呈した板状の基体を備え、前記基体の上辺に、少なくとも１列に、花弁等からなる花部のみの造花を取り付けて構成される背面側輪郭花形成体を複数枚さらに有し、これら複数枚の背面側輪郭花形成体を組み合わせて所望のデザインを構成して、前記多数本の生花または造花の背面側に設置し、
前記花保持ベースに茎の部分が差し込まれる多数本の生花または造花は、それらの花部が、前記複数枚組み合わされてデザインされた背面側輪郭花形成体の上辺の花部のみの造花の高さよりも手前側に向けて順次低い位置になるように配置されていることを特徴とする祭壇。
【請求項２】
前記請求項１に記載の祭壇の作成方法であって、
前記台座を配置する第１の工程と、
この台座上に前記花保持ベースを載置する第２の工程と、
前記複数枚の背面側輪郭花形成体を組み合わせて所望のデザインを構成して、前記台座上の前記花保持ベースの後方に設置する第３の工程と、
前記台座上に載置された花保持ベースに前記多数本の生花または造花の茎の部分を差し込む第４の工程とを有し、
前記第４の工程において、前記背面側輪郭花形成体の上辺の花部のみの造花の手前側に、前記生花または造花の茎を、それらの花部が、前記複数枚組み合わされてデザインされた背面側輪郭花形成体の上辺の花部のみの造花の高さよりも手前側に向けて順次低い位置になって、前記背面側輪郭花形成体の上辺の花部のみの造花が背面側の峰部を形成するように、前記花保持ベースに差し込んで配置していくことで祭壇を作成することを特徴とする祭壇の作成方法。